(57)【要約】【課題】本体を机などに容易に固定することができ、比較的強い力で粘着テープが引っ張られても固定状態が維持される比較的軽量なテープカッター装置を低コストで提供する。【解決手段】テープカッター装置は、回転体３０に取り付けられたロール状の粘着テープ４０を回転自在に支持する本体１０と、粘着テープ４０を切断するためのカッター刃２０と、本体１０の底面部近傍の一端に取り付けられた蝶番５０とによって構成される。ここで、蝶番５０は、テープカッター装置の本体１０の短手側の両側のうち粘着テープ４０が引っ張られる方向とは反対方向側に設けられる。【選択図】図１
0003138859.tif 000002
【実用新案登録請求の範囲】
【請求項１】
回転体に取り付けられたロール状の粘着テープを回転自在に支持するテープ保持部と、前記粘着テープを切断するために前記テープ保持部の短手側の一方に取り付けられたカッター刃とを備えたテープカッター装置において、
前記テープ保持部の短手側の他方の接地部から外側へと張り出した平面状の張り出し部を備えたことを特徴とする、テープカッター装置。
【請求項２】
前記張り出し部は、前記テープ保持部の底面と略平行な状態にされ得ることを特徴とする、請求項１に記載のテープカッター装置。
【請求項３】
前記張り出し部は、前記テープ保持部の短手側の他方の側面と平行になるように折り畳み可能に構成されていることを特徴とする、請求項１または２に記載のテープカッター装置。
【請求項４】
前記張り出し部は、前記テープ保持部の底面近傍の内部に収納可能に構成されていることを特徴とする、請求項１または２に記載のテープカッター装置。
【請求項５】
前記張り出し部は、蝶番によって構成されていることを特徴とする、請求項３または４に記載のテープカッター装置。
【請求項６】
前記張り出し部は、前記テープ保持部の長手方向に往復動可能に構成されていることを特徴とする、請求項４に記載のテープカッター装置。
【請求項７】
前記テープ保持部の短手方向についての前記張り出し部の長さは、前記テープ保持部の短手方向の長さの２分の１以上であることを特徴とする、請求項１から６までのいずれか１項に記載のテープカッター装置。
【考案の詳細な説明】
【技術分野】
【０００１】
本考案は、粘着テープを切断するためのテープカッター装置に関する。
【背景技術】
【０００２】
従来より、帯状のテープの少なくとも片面に粘着剤が塗布された粘着テープが様々な用途・目的で使用されている。この粘着テープの所望の長さでの切断を容易ならしめる装置として、テープカッター装置が知られている。図１１は、従来のテープカッター装置の斜視図である。このテープカッター装置は、回転体９３に取り付けられたロール状の粘着テープ９４を回転自在に支持する本体（テープ保持部）９１と、粘着テープ９４を切断するためのカッター刃９２とによって構成されている。作業者は、ロール状の粘着テープ９４から切断したい部分を引き出し、当該部分をカッター刃９２によって切断する。
【０００３】
ところで、テープカッター装置を用いて粘着テープ９４の切断がなされようとする際、作業者が粘着テープ９４の一端を引っ張った時に本体９１が動いてしまうことがよくある。例えば、図１２（ａ）において符号９９で示す矢印の方向に粘着テープ９４の一端が引っ張られた時に、図１２（ｂ）に示すように本体９１が動く。このため、作業者は、例えば、予め一方の手で本体９１を机に固定した上で他方の手で粘着テープ９４の一端を引っ張り、所望の長さで粘着テープ９４を切断している。
【０００４】
ところが、例えば包装・梱包作業を行う作業者は、一方の手で包装紙等を包装対象の商品等に押さえたりしなければならない。このため、そのような作業者には、片手で粘着テープ９４の切断を可能ならしめるテープカッター装置が要求される。そこで、一方の手で本体９１が（机などに）固定されることなく粘着テープ９４が引っ張られても当該本体９１の固定状態が維持されるようにしたテープカッター装置として、本体９１を重くしたものや本体９１の底面部に摩擦力の大きい材質（ゴムなど）を用いたものが広く知られている。
【０００５】
また、特開２００１−２４０２９７号公報には、図１３に示すように、本体９１の底面部近傍に当該本体９１から外に向かって水平方向に張り出した張り出し部９５を備えたテープカッター装置の発明が開示されている。このテープカッター装置によれば、図１３に示すように張り出し部９５をまたぐように粘着テープ９７を机などに貼り付けることによって、本体９１が机などに固定される。
【特許文献１】特開２００１−２４０２９７号公報
【考案の開示】
【考案が解決しようとする課題】
【０００６】
ところが、本体９１を重くした場合には、持ち運びするのに不便となり、また、コスト高となる。底面部に摩擦力の大きい材質を用いた場合には、本体９１を重くした場合と同様、コスト高となる。また、底面部が汚れることによって摩擦力は弱まり、本体９１を机などに固定するという効果が得られなくなる。特開２００１−２４０２９７号公報に開示されたテープカッター装置によれば、比較的弱い力で粘着テープ９４が引っ張られた場合には、本体９１が机などに固定された状態は維持される。しかし、比較的強い力で粘着テープ９４が引っ張られると、図１４（ａ）に示す状態から図１４（ｂ）に示す状態になるように本体９１が移動したり、図１５（ａ）に示す状態から図１５（ｂ）に示す状態になるように本体９１の底面部が浮いたりする。
【０００７】
そこで、本考案では、本体を机などに容易に固定することができ、比較的強い力で粘着テープが引っ張られても固定状態が維持される比較的軽量なテープカッター装置を低コストで提供することを目的とする。
【課題を解決するための手段】
【０００８】
第１の考案は、回転体に取り付けられたロール状の粘着テープを回転自在に支持するテープ保持部と、前記粘着テープを切断するために前記テープ保持部の短手側の一方に取り付けられたカッター刃とを備えたテープカッター装置において、
前記テープ保持部の短手側の他方の接地部から外側へと張り出した平面状の張り出し部を備えたことを特徴とする。
【０００９】
第２の考案は、第１の考案において、
前記張り出し部は、前記テープ保持部の底面と略平行な状態にされ得ることを特徴とする。
【００１０】
第３の考案は、第１または第２の考案において、
前記張り出し部は、前記テープ保持部の短手側の他方の側面と平行になるように折り畳み可能に構成されていることを特徴とする。
【００１１】
第４の考案は、第１または第２の考案において、
前記張り出し部は、前記テープ保持部の底面近傍の内部に収納可能に構成されていることを特徴とする。
【００１２】
第５の考案は、第３または第４の考案において、
前記張り出し部は、蝶番によって構成されていることを特徴とする。
【００１３】
第６の考案は、第４の考案において、
前記張り出し部は、前記テープ保持部の長手方向に往復動可能に構成されていることを特徴とする。
【００１４】
第７の考案は、第１から第６までのいずれかの考案において、
前記テープ保持部の短手方向についての前記張り出し部の長さは、前記テープ保持部の短手方向の長さの２分の１以上であることを特徴とする。
【考案の効果】
【００１５】
上記第１の考案によれば、張り出し部をまたぐようにして粘着テープを机などに貼り付けることによって、テープ保持部は机などに固定される。また、当該張り出し部は、テープ保持部の短手側の両側のうち粘着テープが引っ張られる方向とは反対方向側に設けられている。このため、粘着テープが比較的強い力で引っ張られても、テープ保持部が移動するということが効果的に抑制される。
【００１６】
上記第２の考案によれば、張り出し部をテープ保持部の底面と略平行な状態にすることができるので、張り出し部をまたぐようにして容易に粘着テープを机などに貼り付けることができる。
【００１７】
上記第３の考案によれば、テープカッター装置の不使用時などに張り出し部を折り畳むことによって、占有スペースが低減される。
【００１８】
上記第４の考案によれば、テープカッター装置の不使用時などに張り出し部を底面近傍の内部に収納することによって、占有スペースが低減される。
【００１９】
上記第５の考案によれば、比較的強い力で粘着テープが引っ張られても固定状態を維持することができ、かつ、不使用時などに占有スペースを低減させることのできるテープカッター装置が簡易な構成かつ低コストで実現される。
【００２０】
上記第６の考案によれば、上記第４の考案と同様、テープカッター装置の不使用時などに張り出し部を底面近傍の内部に収納することによって、占有スペースが低減される。
【００２１】
上記第７の考案によれば、粘着テープが強い力で引っ張られた際に、テープ保持部が移動するということがより効果的に抑制される。
【考案を実施するための最良の形態】
【００２２】
以下、添付図面を参照しつつ、本考案の一実施形態について説明する。
【００２３】
＜１．テープカッター装置の全体構成＞
図１は、本考案の一実施形態に係るテープカッター装置の全体構成を示す斜視図である。このテープカッター装置は、回転体３０に取り付けられたロール状の粘着テープ４０を回転自在に支持する本体（テープ保持部）１０と、粘着テープ４０を切断するためのカッター刃２０と、本体１０の底面部近傍の一端に取り付けられた蝶番５０とによって構成されている。なお、以下の説明においては、本体１０の２つの短手側のうち一方を「カッター刃側」、他方を「テープ側」という。詳しくは、図１に示すように、カッター刃２０と粘着テープ４０との相対的な位置関係でカッター刃が設けられている側を「カッター刃側」といい、粘着テープ４０が設けられている側を「テープ側」という。また、作業者はこのテープカッター装置を机の上で使用するものと仮定して説明する。
【００２４】
上述の蝶番５０は、図１に示すように、本体１０の２つの短手側のうちのテープ側の中央付近かつ本体１０の底面部近傍（接地部）に設けられている。後述するように、本実施形態においては、この蝶番５０の一部によって「張り出し部」が実現されている。
【００２５】
＜２．張り出し部を実現するための構成＞
図２は、本実施形態において、張り出し部を実現するための構成について説明する図である。なお、図１で符号８０で示す部分の拡大図が図２（ｂ）である。図２（ａ）に示すように、本実施形態においては、「穴有りの平型蝶番」などと呼ばれる蝶番５０が採用されている。この蝶番５０は、第１の羽根部５１と第２の羽根部５２とからなる一対の羽根部と、第１の羽根部５１と第２の羽根部５２とを回動自在に連結する軸部５３とによって構成されている。第１の羽根部５１および第２の羽根部５２には、それぞれ２個の穴部５４が設けられている。本体１０の底面部１１には、当該本体１０への蝶番５０の取り付けを容易ならしめるために、図２（ａ）に示すような平面コ字型の凹部１２が設けられている。
【００２６】
本体１０への蝶番５０の取り付けの際には、まず、軸部５３が上述の凹部１２に嵌装される。そして、本体１０の外周面のうちのテープ側の面と蝶番５０の第２の羽根部５２とが合わされた後、第２の羽根部５２の穴部５４を介してネジ５９が本体１０に螺挿される。これにより、図２（ｂ）に示すように、蝶番５０が本体１０に固着される。ここで、蝶番５０の第１の羽根部５１については、軸部５３を中心に回動可能となっている。このため、テープカッター装置が机の上に設置されたとき、第１の羽根部５１は机の面と平行な状態にされ得る。すなわち、本実施形態においては、蝶番５０の第１の羽根部５１が「張り出し部」として機能する。
【００２７】
図３は、本実施形態に係るテープカッター装置を上から見た平面図である。図３では、本体１０の短手方向についての長さをＷ１とし、同方向についての蝶番５０の第１の羽根部５１の長さをＷ２としている。ここで、Ｗ１とＷ２との関係については、Ｗ２をＷ１の２分の１以上の長さとすることが好ましい。例えば、「Ｗ１を７０ミリメートル、Ｗ２を４０ミリメートル」とする。
【００２８】
＜３．効果＞
上述のように、本実施形態に係るテープカッター装置には、本体１０の底面部１１から本体１０の外側へと張り出した張り出し部（蝶番５０の第１の羽根部５１）が設けられている。このため、作業者は、このテープカッター装置を使用する際、図４に示すように、張り出し部をまたぐようにして粘着テープ６０を机に貼り付けることができる。これにより、テープカッター装置が使用される際、当該テープカッター装置は机に固定される。ここで、回転体３０に取り付けられている粘着テープ４０はテープ側からカッター刃側へと作業者によって引っ張られるところ、上記張り出し部はテープ側に設けられている。このテープ側というのは、本体１０の中心を基準位置とした場合、当該基準位置から粘着テープ４０の引っ張られる方向とは逆方向に進んだときに交差する（本体１０の）外周面に当たる。このため、粘着テープ４０が比較的強い力で引っ張られても、本体１０が移動することや本体１０の底面部１１が浮くことが効果的に抑制される。また、テープカッター装置の机への固定のために使用される粘着テープ６０は、当該テープカッター装置の回転体に取り付けられている粘着テープ４０である。このため、作業者は、必要に応じて容易にテープカッター装置を机に固定することができる。なお、粘着テープ６０と机との粘着性を高めるため、図５に示すように、張り出し部の内側から外側に向かって（張り出し部の）３辺と交差するように粘着テープが貼り付けられることが好ましい。
【００２９】
また、従来は、テープカッター装置を机に固定させるために、本体１０を重くすることや本体１０の底面部１１に摩擦力の大きい材質を用いることがなされていた。一方、本実施形態によれば、粘着テープが比較的強い力で引っ張られても本体１０の机への固定状態が維持されるので、本体１０を重くしたり、本体１０の底面部１１に摩擦力の大きい材質を用いる必要がない。このため、従来よりもコストを低減させることができる。
【００３０】
さらに、本実施形態においては、張り出し部を実現するために蝶番５０が採用されているところ、蝶番５０を構成する第１の羽根部５１は軸部５３を中心に回動可能になっている。このため、作業者は、蝶番５０を図６（ａ）に示す状態から図６（ｂ）に示す状態にすることができる。従って、作業者は、このテープカッター装置の不使用時には、蝶番５０の第１の羽根部５１を図７に示すような状態にすることができる。これにより、テープカッター装置を所定の場所に収納する際に、従来と同様のスペースがあれば足りる。
【００３１】
＜４．変形例＞
以下、上記実施形態の変形例について説明する。
【００３２】
＜４．１  第１の変形例＞
図８は、上記実施形態の第１の変形例について説明するための図である。図８（ａ）は、テープカッター装置を上から見た平面図である。図８（ｂ）は、図８（ａ）のＡ−Ａ線断面図である。図８（ｃ）および（ｄ）は、図８（ａ）のＢ−Ｂ線断面図である。本変形例においては、本体１０のテープ側の底面部１１に、図８（ｂ）に示すような逆凹部１３が設けられている。これにより、当該逆凹部１３に蝶番５０の第１の羽根部５１が収納可能に構成されている。本変形例においては、テープカッター装置の使用時には、蝶番５０の第１の羽根部５１を図８（ｃ）に示す状態とすれば良い。一方、テープカッター装置の不使用時には、図８（ｄ）に示すように蝶番５０の第１の羽根部５１を上記逆凹部１３に収納することができる。
【００３３】
＜４．２  第２の変形例＞
図９は、上記実施形態の第２の変形例について説明するための図である。本変形例においては、本体１０の底面部１１に、張り出し部７０を収納することのできる空間１４が設けられている。そして、図９（ａ）および（ｂ）に示すように、本体１０の長手方向に張り出し部７０が往復動可能なように構成されている。なお、図９（ｂ）の状態のときに作業者が容易に張り出し部７０を引き出すことができるよう、張り出し部７０につまみ部７１が設けられている。
【００３４】
＜４．３  第３の変形例＞
上記実施形態および上記各変形例においては、張り出し部は折り畳み可能あるいは本体底面部近傍に収納可能に構成されているが、本発明はこれに限定されない。例えば、図１０に示すように、本体１０の底面部１１と一体的に形成された張り出し部１５を備える構成にすることもできる。
【図面の簡単な説明】
【００３５】
【図１】本考案の一実施形態に係るテープカッター装置の全体構成を示す斜視図である。
【図２】上記一実施形態において、張り出し部を実現するための構成について説明する図である。
【図３】上記一実施形態に係るテープカッター装置を上から見た平面図である。
【図４】上記一実施形態に係るテープカッター装置の使用状態を示す斜視図である。
【図５】上記一実施形態に係るテープカッター装置の使用状態を上から見た平面図である。
【図６】上記一実施形態において、効果を説明するための図である。
【図７】上記一実施形態において、効果を説明するための図である。
【図８】上記一実施形態の第１の変形例について説明するための図である。
【図９】上記一実施形態の第２の変形例について説明するための図である。
【図１０】上記一実施形態の第３の変形例に係るテープカッター装置の要部の斜視図である。
【図１１】従来例に係るテープカッター装置の斜視図である。
【図１２】従来例について説明するための図である。
【図１３】従来例に係るテープカッター装置の斜視図である。
【図１４】従来例について説明するための図である。
【図１５】従来例について説明するための図である。
【符号の説明】
【００３６】
１０…本体（テープ保持部）
２０…カッター刃
３０…回転体
４０…粘着テープ
５０…蝶番
５１…第１の羽根部
５２…第２の羽根部
５３…軸部
５４…穴部
５９…ネジ
【図１】
0003138859.tif 000003
【図２】
0003138859.tif 000004
【図３】
0003138859.tif 000005
【図４】
0003138859.tif 000006
【図５】
0003138859.tif 000007
【図６】
0003138859.tif 000008
【図７】
0003138859.tif 000009
【図８】
0003138859.tif 000010
【図９】
0003138859.tif 000011
【図１０】
0003138859.tif 000012
【図１１】
0003138859.tif 000013
【図１２】
0003138859.tif 000014
【図１３】
0003138859.tif 000015
【図１４】
0003138859.tif 000016
【図１５】
0003138859.tif 000017